(57)【要約】マッピング機能及びイメージング機能を有するウェアラブル電子デバイスの実施形態が開示される。ウェアラブル電子デバイスは、環状のタッチスクリーンディスプレイに結合されるコントローラと、複数のセンサとを有することができる。コントローラは、マッピング機能及びイメージング機能の結果がウェアラブル電子デバイスのユーザに対して相対的にタッチスクリーンディスプレイ上に表示されるように、マッピング機能及びイメージング機能を実行するように構成され得る。
2017503240.tif 000002
【特許請求の範囲】
【請求項１】
ウェアラブル電子デバイスであって：
環状のディスプレイと；
複数の画像センサ、位置センサ及び方向センサを含む複数のセンサであって、前記複数の画像センサが、タッチスクリーンディスプレイの周囲に環状に配置される、複数のセンサと；
前記環状のディスプレイと前記複数のセンサに結合されるコントローラであって、当該コントローラは、マッピング機能及びイメージング機能を実行して、前記環状のディスプレイ上に、検索結果及び／又は複数の画像を備える環状の画像を生成し、前記検索結果及び／又は前記複数の画像が、当該ウェアラブル電子デバイスのユーザの方向に対して相対的に表示される、コントローラと；
を備える、ウェアラブル電子デバイス。
【請求項２】
前記コントローラは、検索要求を受け取り、該検索要求に応答して、各検索結果が地理的位置を有する検索結果を生成又は受信し、前記ユーザの地理的位置及び各検索結果の地理的位置に基づいて、前記検索結果を前記環状のディスプレイ上に環状に表示する、
請求項１に記載のウェアラブル電子デバイス。
【請求項３】
前記コントローラは、前記複数の画像を生成し、前記ユーザとの相対で各画像の相対的な地理的位置を決定し、前記複数の画像を環状の画像として前記環状のディスプレイ上に表示し、各画像は、前記ユーザとの相対的な位置に従って表示される、
請求項１に記載のウェアラブル電子デバイス。
【請求項４】
前記コントローラは、前記複数の画像のうち少なくとも１つの画像の視野を、環状のタッチスクリーンディスプレイによって形成される円弧の大きさに応じて調整する、
請求項３に記載のウェアラブル電子デバイス。
【請求項５】
前記コントローラは、前記環状の画像が実質的に一貫性のある露出であるように、前記複数の画像の露出を調整する、
請求項３に記載のウェアラブル電子デバイス。
【請求項６】
前記位置センサ及び前記方向センサに結合され、マッピング能力を生じるよう構成される、ナビゲーションサブシステムと；
前記ナビゲーションサブシステムに結合され、前記ユーザが前記複数の画像に対して中央に配置されるように、前記複数の画像を編成するよう構成される、周辺マップ提示モジュールと；
前記画像センサ及び前記周辺マップ提示モジュールに結合され、前記複数の画像から環状の画像を生成するように構成される、レンダリングモジュールと；
を更に備える、請求項１に記載のウェアラブル電子デバイス。
【請求項７】
前記位置センサは、全地球測位衛星受信機を備える、
請求項１に記載のウェアラブル電子デバイス。
【請求項８】
前記位置センサは、複数の基地局の間の三角測量のための無線受信機を備える、
請求項１に記載のウェアラブル電子デバイス。
【請求項９】
前記コントローラは、前記複数の画像の少なくとも１つにピクセルを追加するか、前記複数の画像の少なくとも１つからピクセルを減じて視野を調整する、
請求項１に記載のウェアラブル電子デバイス。
【請求項１０】
ウェアラブル電子デバイスにおいてマップ表示を生成するための方法であって、当該方法は：
検索要求を受け取るステップと；
前記検索要求に応答して地理検索を実行し、検索結果を生成するステップと；
各検索結果が、ユーザ及び前記検索結果の地理的位置に対して相対的に前記ウェアラブル電子デバイスの周囲に環状に表示されるように、前記ウェアラブル電子デバイスのディスプレイ上に前記検索結果を表示するステップと；
を備える、方法。
【請求項１１】
前記検索要求は、記憶済みの検索要求であり、当該方法は、
前記ユーザの地理的位置及び前記記憶済みの検索要求に応答して、前記地理検索を開始するステップ、
を更に備える、請求項１０に記載の方法。
【請求項１２】
前記ユーザの動きに応じて、前記ディスプレイ上の各検索結果の位置を更新するステップ、
を更に備える、請求項１０に記載の方法。
【請求項１３】
前記ディスプレイ上に前記検索結果を表示するステップは、前記検索結果を表すアイコンを表示することを含む、
請求項１０に記載の方法。
【請求項１４】
前記ディスプレイ上に前記検索結果を表示するステップは、検索結果ごとにテキストのブロックを表示することを含み、各テキストのブロックは、前記ユーザからの相対的な距離を含む、
請求項１０に記載の方法。
【請求項１５】
テキストのブロックを表示することは、テキストのブロックを表示することを含み、前記テキストのブロックのフォントは、前記テキストのブロックによって表される、前記ユーザからの前記検索結果の相対的に距離に応じて変化する、
請求項１１に記載の方法。
【請求項１６】
前記ディスプレイ上に前記検索結果を表示するステップは、各検索結果を表すアイコンを表示することを含む、
請求項１０に記載の方法。
【請求項１７】
前記地理検索を実行することは、無線チャネルを介して地理的データベースにアクセスすることを備える、
請求項１０に記載の方法。
【請求項１８】
ウェアラブル電子デバイスにおいて画像を生成するための方法であって、当該方法は：
前記ウェアラブル電子デバイスの周囲に環状に配置される複数の画像センサから複数の画像を生成するステップと；
前記複数の画像の各々について、前記ウェアラブル電子デバイスのユーザとの関連で地理的位置を決定するステップと；
各画像の前記地理的位置及び前記ウェアラブル電子デバイスの前記ユーザとの関連で前記複数の画像をリンクさせて環状の画像を生成するステップと；
前記環状の画像内における各画像の前記地理的位置及び前記ウェアラブル電子デバイスの前記ユーザとの関連で、前記ウェアラブル電子デバイスのディスプレイ上に前記環状の画像を表示するステップと；
を備える、方法。
【請求項１９】
前記ウェアラブル電子デバイスを装着している前記ユーザによって形成される円弧の大きさに応じて、前記複数の画像センサのうち少なくとも１つの視野を調整するステップ、
を更に備える、請求項１８に記載の方法。
【請求項２０】
複数の画像センサの各々の視野を調整することは、前記視野の大きさを増加又は減少させるよう、それぞれ前記複数の画像にピクセルを追加又は前記複数の画像からピクセルを減ずることを備える、
請求項１８に記載の方法。
【請求項２１】
前記ウェアラブル電子デバイスの前記ユーザとの関連で前記複数の画像をリンクさせるステップは、隣接する画像のエッジを環状に組み合わせることを備える、
請求項１８に記載の方法。
【請求項２２】
請求項１０乃至１７及び１９乃至２１のいずれか一項に記載の方法を実行するための手段を備える、ウェアラブル電子デバイスにおいて画像を生成する装置。
【請求項２３】
マシンによって実行されると、該マシンに請求項１０乃至２１のいずれか一項に記載の方法を実行させる、ウェアラブル電子デバイスのマップ表示を生成するためのコンピュータプログラム。
【請求項２４】
ウェアラブル電子デバイスのマップ表示上に地理的に関連する検索結果を生成するためのコンピュータプログラムであって、マシンによって実行されると、該マシンに、
複数の環状の画像を受け取ることと；
前記複数の環状の画像を分析して、類似する対象を有する画像を決定することと：
前記類似する対象によってリンクされる、前記複数の環状の画像のうちの少なくとも２つの画像を表示することと；
を実行させる、コンピュータプログラム。
【請求項２５】
前記マシンに更に、複数のウェアラブル電子デバイスから前記複数の環状の画像を受け取らせる、
請求項２４に記載のコンピュータプログラム。
【請求項２６】
請求項２３乃至２５のいずれか一項に記載のコンピュータプログラムを記憶するマシン読取可能媒体。
【発明の詳細な説明】
【背景技術】
【０００１】
手首型の電子デバイス（例えばスマートウォッチ）は典型的に、大きなフォームファクタを有し、大抵はディスプレイに制限され得る。データを入力する手段を含む手首型のデバイスは概して、非常に小さなキーボードを使用し、このようなキーボードは、小さなサイズのボタンによりアクティブにすることが難しいことがある。
【０００２】
より最近の手首型の電子デバイスは、データ及びコマンドの入力を容易にするタッチスクリーン入力を含んでいる。しかしながら、これらのデバイスは機能性が制限されていることがあり、その一部は、連結機能（couple  function）の専用であることさえある。例えば全地球測位システム（GPS）ウォッチは、時間及び装着者の位置を決定するためだけに使用されることがある。
【発明の概要】
【０００３】
手首型の電子デバイスにおいては更なる機能性を求める一般的なニーズが存在する。
【図面の簡単な説明】
【０００４】
【図１】ウェアラブル電子デバイスの実施形態の図である。
【図２】図１のウェアラブル電子デバイスに係る電子システムの実施形態のブロック図である。
【図３】マッピング（地図作製（mapping））機能に関連付けられるウェアラブル電子デバイスの表示の実施形態の図である。
【図４】マッピング機能に関連付けられるウェアラブル電子デバイスの表示の別の実施形態の図である。
【図５】ウェアラブル電子デバイスによって実行され得るマッピング（地図作製）方法の実施形態のフローチャートである。
【図６Ａ】図１及び図２のウェアラブル電子デバイスに係るイメージング機能のための画像センサの実施形態のブロック図である。
【図６Ｂ】図１及び図２のウェアラブル電子デバイスに係るイメージング機能のための画像センサの実施形態のブロック図である。
【図７】イメージング機能に関連付けられるウェアラブル電子デバイスの表示の実施形態の図である。
【図８】イメージング機能に係るシステムの実施形態のブロック図である。
【図９】ウェアラブル電子デバイスによって実行され得るイメージング方法の実施形態のフローチャートである。
【図１０】図１のウェアラブル電子デバイスに係るコンピュータシステムの実施形態のブロック図である。
【発明を実施するための形態】
【０００５】
典型的な従来のウェアラブル電子デバイスは、ボタンのサイズ及び／又は限られたボタンに起因する限られた入力機能に悩まされる。ウェアラブル電子デバイスの実施形態は、アイコンベース（iconic-based）のユーザ入出力及びセンサベースの入力を提供し、ユーザが電子デバイスと触れ合うことを可能にすることができる。電子デバイスは、視覚的出力（例えばLCD、LED）、触覚感覚（例えば振動）及び聴覚入力と出力（例えば音声、サウンド）を通してユーザ及びセンサ入力に応答することができる。これは、簡単なキーパッド又はタッチスクリーンのみの入力を超えて、ウェアラブル電子デバイスと触れ合うための拡張された能力をユーザに提供することができる。
【０００６】
以下の議論では、リストバンド型の電子デバイスについて言及する。しかしながら、当業者は、アイコンメニュー、センサベースのユーザ対話及びタッチスクリーンベースの対話のための本実施形態を、他のタイプの電子デバイスでウェアラブル又は他の方法で使用することを実現するであろう。
【０００７】
図１は、ウェアラブル電子デバイス１００の実施形態の図を示している。図示される実施形態は、環状（annular）のタッチセンサ式ディスプレイ（例えばタッチスクリーン）１０１を含むリストバンド電子デバイスに関し、タッチセンサ式ディスプレイ１０１は、複数のアイコン１１０〜１１５を表示する。図１の図は単に例示の目的である。他の実施形態は、他のタイプのリストバンドを使用してもよく、あるいは他のタイプのウェアラブル電子デバイスを使用してもよい。
【０００８】
タッチセンサ式ディスプレイ１０１は、タッチセンサ式入力を有する任意のタイプのディスプレイであってよい。例えばタッチセンサ式ディスプレイ１０１は、液晶ディスプレイ（LCD）、有機発光ダイオードディスプレイ（OLED）、プラズマディスプレイ、電子インク（e-ink）又はタッチセンサ式ディスプレイとして使用され得る何らかの他のタイプのディスプレイであってよい。
【０００９】
以下の説明は、ディスプレイ１０１を環状ディスプレイ１０１と言うことがある。ディスプレイ１０１の実施形態は、完全な円を形成するディスプレイ１０１を含んでもよく、図１に示されるような円の一部のみを形成するディスプレイ１０１を含んでもよい。これらの実施形態の各々は、環状ディスプレイの定義に含まれ得る。
【００１０】
タッチセンサ式ディスプレイ１０１は、ユーザが電子デバイスと触れ合うことを可能にするよう、タッチスクリーン機能との組合せでアイコン１１０〜１１５を使用する。アイコン１１０〜１１５は、電子デバイスのメニューシステムの異なる機能を表すことができる。アイコンをタッチすることにより、ユーザは、電子デバイスの機能を選択して起動することができる。例えばあるアイコン１１３をタッチすることにより、マッピング機能（mapping  function）を起動することができる。別のアイコン１１５をタッチすることにより、画像（imaging）（例えばカメラ）機能を起動することができる。これらの機能の双方を後で更に詳細に説明する。また、電子デバイス１００は、アイコン１１０〜１１５から離れて及び近くに、タッチセンサ式入力のエリアを有してもよく、これにより、ユーザは、ディスプレイを見える状態に保ちつつ、そのエリアにタッチすることができる。
【００１１】
ウェアラブル電子デバイス１００は、デバイスが、例えば環境条件（例えば温度、湿度、気圧）、動き、デバイスの現在の位置等のような様々なことを感知することを可能にするセンサも含むことができる。例えばセンサは、デバイスがその地理的位置を決定することを可能にする全地球測位システム（GPS）受信機及びアンテナを含み得る。光センサは、デバイスに、環境光に応じてディスプレイの明るさを調整する能力を提供することができる。加速度計及び／又は半導体ジャイロスコープは、デバイスが、ユーザの動き（例えばユーザの腕の動き）の方向とスピードを決定することを可能にすることができる。温度センサは、デバイスが周辺気温を決定することを可能にすることができる。気圧センサは、デバイスが環境気圧を決定することを可能にし、これはユーザにデバイスの高度を提供することもある。方向センサは、コンパス機能を提供し得る。デバイスは、このデバイス本体とは別個の異なる他のセンサにも接続することができる。他のセンサは、例えば電気皮膚反応のためのコンダクタンス、血液循環を検出するための機能的近赤外（FNIR）及び頭部装着センサのための脳波（EEG）データ等である。列挙したセンサは、単に例示の目的である。電子デバイス１００は、追加のセンサ能力を含んでもよい。
【００１２】
ウェアラブル電子デバイス１００は、スタンドアロンデバイスとして、別の電子デバイス（例えば携帯電話）に対する対（companion）として、あるいはデバイスの集合の中央にあるハブとして動作し得る。スタンドアロンモードでは、電子デバイスは完全に自己完結型であり、動作のために、ユーザ入力に加えて、自身のセンサ入力のみに依拠することになる。電子デバイスは、依然として他の電子デバイス及び／又はシステムと通信する能力を有し得るが、その能力はスタンドアロンモードでは無効にされることになる。
【００１３】
対モード（companion  mode）では、デバイス１００は、他の電子デバイス及び／又はシステムと通信する何らかのタイプの無線トランシーバを含み得る。無線トランシーバは、異なる通信規格を使用して通信し得る。例えば様々な実施形態では、無線トランシーバは、セルラ規格（例えばグローバルシステム・フォー・モバイルコミュニケーションズ（GSM）、時分割多重アクセス方式（TDMA）、符号分割多重アクセス方式（CDMA））、Wi-Fi（登録商標）及び／又はBLUETOOTH（登録商標）を介して送受信する能力を有する。
【００１４】
ハブモードでは、デバイスは２つの無線トランシーバを含むことができる。第１の無線トランシーバは、対モードで指定されるトランシーバのように動作することができ、その主な役割は、携帯電話やコンピュータのような他のコンピューティングデバイスと通信することである。第２の無線トランシーバは、デバイスのネットワークの中央ハブとして動作することができる。これらのデバイスは、身体の様々な部分に装着される様々なウェアラブルセンサを含んでよく、様々な入力を感知する。ウェアラブル電子デバイス１００は、ネットワークの中央データ集約及び処理ポイントとして機能し得る。
【００１５】
図２は、図１のウェアラブル電子デバイス１００に係る、電子システムの実施形態のブロック図である。他の電子システムを使用して、ウェアラブル電子デバイス１００のメニューシステム及びユーザ対話機能を実装してもよいので、このブロック図は単に例示の目的である。
【００１６】
システムは、電子システムの制御全体に関与するコントローラ２０１を含む。コントローラ２０１は、縮小命令セットコンピューティング（RISC）プロセッサ、複数命令セットコンピューティング（CSC）プロセッサ、専用の制御回路又は何らかの他のタイプの制御回路等のようなマイクロプロセッサを含むことができる。コントローラ２０１は、後述されるように、マッピング機能及び／又はイメージング機能を実行するように構成され得る。
【００１７】
システムは、データの格納のために、コントローラ２０１に結合されるメモリ２０５を更に含むことができる。メモリ２０５は、読取専用メモリ（ROM）、不揮発性メモリ（例えばフラッシュ）、ランダムアクセスメモリ（RAM）、例えば静的RAM（SRAM）及び動的RAM（DRAM）等、あるいは他のタイプのメモリを含むことができる。メモリ２０５は、後述されるマッピング機能及びイメージング機能とともに動作するようオペレーティングシステムを記憶し、デバイスの動作中に生じる一時的な動作データ、又は様々なセンサ及び動作との組合せでシステムにより使用される様々な動作パラメータを記憶するのに使用され得る。
【００１８】
ディスプレイ１０１（例えばタッチセンサ式ディスプレイ）は、コントローラによる使用のため又はメモリ２０５に記憶するため、データをシステムに入力するためにコントローラ２０１に結合され得る。ディスプレイ１０１は、コントローラ２０１によって、アイコン及びシステム動作中に生じる他のデータを表示するように使用されてもよい。
【００１９】
センサモジュール２０６は、システム動作中にコントローラ２０１によって使用されるセンサデータを検出及び生成するために、コントローラ２０１に結合され得る。センサモジュール２０６は、他のタイプのセンサに加え、前述したようなセンサを含み得る。
【００２０】
実施形態の以下の例では、GPSセンサを使用してウェアラブル電子デバイス１００の位置を決定することについて言及するが、他の実施形態では、他の位置センサ及び他の方法を使用して、地理的位置を決定してもよい。例えばウェアラブルデバイスが通信している複数の基地局との三角測量を使用して、ウェアラブル電子デバイス１００の地理的位置を決定してもよい。そのような実施形態では、無線受信機を位置センサと考えることができる。
【００２１】
聴覚入出力（Ｉ／Ｏ）及び触覚Ｉ／Ｏモジュール２０９が、サウンドＩ／Ｏ及び振動感覚を提供するためにコントローラ２０１に結合されてもよい。例えば聴覚Ｉ／Ｏ及び触覚Ｉ／Ｏモジュール２０９は、サウンド生成用のスピーカ、環境音（例えば音声）をピックアップするマイクロフォン及びユーザのために触覚感覚（例えば振動）を生成する振動生成デバイスを含んでよい。
【００２２】
無線トランシーバ２１１は、コントローラ２０１に結合されて、システムが他の電子システムへリンクすることを可能にする無線の送受信能力を電子システムに提供することができる。前述のように、無線トランシーバ２１１は、対モードの間に、１つ以上の様々な通信規格を介して通信するよう電子システムによって使用され得る。
【００２３】
コントローラ２０１は、他のシステム要素との組合せで、ソフトウェアを実行して、電子デバイスのためにメニューシステムを提供することができる。メニューシステムは、ユーザに、タッチスクリーンデバイス上で異なるタッチジェスチャを使用する対話能力を提供することができる。これらのジェスチャは、メニューの深度を変更する水平スイープ（horizontal  sweep）、同じレベルのメニューにまたがるナビゲーションのための垂直スイープ（vertical  sweep）、そして特定のメニューレベルにおける単一のアイコン／アイテムの変更を可能にする「ホールド及びスイープ」ジェスチャを含み得る。「ホールド及びスイープ」ジェスチャは、例えば親指以外の指でディスプレイ上を実質的に同時にスイープしている間に、親指でタッチスクリーンの割り当てられたスポット（例えばアイコン）にタッチしてホールドすることによって達成され得る。
【００２４】
図３は、ウェアラブル電子デバイス１００の一機能に関連付けられる表示を図示する。図示される機能は、GPS及び方向（例えばコンパス）センサを使用して、ユーザ選択可能な物及び／又は場所を、ユーザからの関連する相対的距離と方向で表示することができるマッピング機能をユーザに提供することができる。
【００２５】
マッピング機能は、ユーザが、図１に開示されるようなウェアラブル電子デバイス１００上のマッピングアイコン１１３にタッチすることによって起動され得る。ユーザは、ウェアラブル電子デバイス１００への音声コマンドによってマッピング機能を起動することもできる。ユーザは、次いでウェアラブル電子デバイス１００を持ち上げて（例えば自身の手首を持ち上げて）、ウェアラブル電子デバイス１００の周囲に環状に表示されるマッピングクエリの結果を見ることができる。
【００２６】
動作の例として、ユーザは、マッピングアイコン１１３にタッチすることによってマッピング機能を起動し、ユーザのウェアラブル電子デバイス１００を持ち上げて、音声コマンド又はタッチコマンドを使用して検索を開始し、ユーザの車の近くにあるコーヒーショップの表示を要求することができる。図３の表示は、ユーザの車がユーザの１ブロック後方に置かれていることを示すテキスト３０１のブロックにより、ユーザのクエリに対する応答を示している。テキスト３０２の別のブロックは、ユーザの好きなコーヒーショップが、ユーザの右に２ブロックの位置にあることを示している。同様に、テキスト３０３のブロックは、また別のコーヒーショップがユーザの左に３ブロックの位置にあることを示している。したがって、テキスト３０１〜３０３のブロックの各々は、テキストの各ブロックが、マッピング機能の検索結果３０１〜３０３がユーザからの相対的な方向に表示されるように、ウェアラブル電子デバイス１００のディスプレイの周囲に環状に表示され得る。
【００２７】
図４は、ウェアラブル電子デバイス１００のマッピング機能に関連付けられる別の表示を図示している。動作の別の例として、ユーザは、以前に説明したようにマッピング機能を起動し、ウェアラブル電子デバイス１００を持ち上げ、そして音声又はタッチコマンドを使用して、ユーザの友達又は同僚の表示を要求することがある。ウェアラブル電子デバイス１００は、次いで、１人の友達がユーザの２ブロック後方にいることを示すテキスト４０１のブロックと、別の友達がユーザの右に１ブロックの位置にいることを示すテキスト４０２の別のブロックを表示することができる。
【００２８】
そのような検索は、友達がそれぞれ、デバイスの地理的位置（例えばGPS座標）をユーザ及び／又は中央の位置サーバに伝送するウェアラブル電子デバイス１００又は何らかの他の通信デバイスを有することによって達成され得る。ユーザのウェアラブル電子デバイス１００は、所望の地理的位置を取得するために、その位置サーバにアクセスするか、無線通信を使用して他のウェアラブル電子デバイス１００に直接クエリすることができる。
【００２９】
上記のマッピング機能の実施形態では、ユーザがその手首を返すか動かすと、ユーザに対して相対的な方向を維持するよう、表示されたテキスト又は画像も同様に動くことがある。同様に、ユーザが動くと、距離は、ユーザとマッピング機能との間の変化する相対的な距離の結果を示すように更新し得る。これは、移動の前のウェアラブル電子デバイス１００の最初の方向を決定し、移動開始後の後の方向を決定するために、ウェアラブル電子デバイスコントローラ２１０がセンサ２０６（例えばジャイロスコープ、加速度計、方向センサ、GPS）にアクセスすることによって達成され得る。
【００３０】
マッピング機能の表示される結果は、テキスト表示のみに限定されない。例えばアイコン及び／又は画像を使用して、マッピング機能の結果を示してもよい。コンパス上の矢印とヘッディングが、マッピング機能の結果として表示されてもよい。
【００３１】
表示されるマッピング機能の結果は、図３及び図４では単なる例示の目的で、相互から９０°となるように図示されている。マッピング機能の結果を、ウェアラブル電子デバイスの周囲の任意の位置に表示することができる。
【００３２】
異なるフォント及びテキストスタイルを使用して、マッピング機能結果について、ユーザからの相対的な距離を示してもよい。例えば太いフォントを使用して、より近い結果を示し、非常に細いフォントがより距離のある結果を示してもよい。
【００３３】
図５は、ウェアラブル電子デバイス１００によって実行され得るマッピング方法（地図作製方法）の実施形態のフローチャートを図示している。ウェアラブル電子デバイス１００は、いずれか１つのマッピング方法に限定されないので、この方法は例示の目的に過ぎない。
【００３４】
マッピング機能が起動される５０１。これは、ウェアラブル電子デバイス１００がユーザから入力を受け取ることによって、例えばユーザがマッピングアイコンにタッチすること、音声コマンドを使用すること、あるいは何らかの他の起動方法等によって達成され得る。マッピング機能は、ウェアラブル電子デバイス１００が予め設定された地理的位置にごく接近するときに、自動的に起動されてもよい。例えばユーザは、ウェアラブル電子デバイス１００がターンオンして、予め設定された人、物又はビジネスについて検索を実行する特定のアドレスを、ウェアラブル電子デバイス１００へ予め設定しておくことができる。
【００３５】
自動の検索要求が未だウェアラブル電子デバイス１００に記憶されていない場合、ウェアラブル電子デバイス１００は、検索要求を受け取ることがある５０２。これは、ユーザが検索要求を入力することによって達成され得る。検索要求は、一連の１つ以上のアイコン、テキスト入力又は言葉によるコマンドの形式であってよい。例えばユーザは、全ての近くのコーヒーショップを検索するようコーヒーショップのアイコンにタッチしてもよく、あるいはユーザは単に、全ての近くのコーヒーショップを表示するようウェアラブル電子デバイス１００に言葉で指示してもよい。
【００３６】
ウェアラブル電子デバイス１００は、検索要求に応答して、例えばワールドワイドウェブの検索エンジン（例えばGOOGLE（登録商標））によって実行されるように、検索を実行することができる５０３。例えばユーザが近くのコーヒーショップについて検索要求を入力した場合、地理的位置及びその機能を有する企業を含むデータベース（例えば地理的マップのデータベース）の検索を行うことができる。このデータベースは、ウェアラブル電子デバイス１００内に記憶されているデータベースであってもよく、あるいは無線チャネルを介してサーバにアクセスすることによって、このデータベースにアクセスすることもできる。データベース検索は、ユーザの地理的位置を使用して、ローカルの会社（local  business  establishments）のみに検索を絞り込むことができる。ユーザが近くの友達についての検索要求を入力した場合、人々の更新される位置を有する位置サービスサーバにアクセスすることができる。別の実施形態では、ウェアラブル電子デバイス１００は、ユーザによって要求される特定の人々について、無線チャネル上でクエリを送信してもよい。ウェアラブル電子デバイス１００は、次いで、所定の時間、要求を開始したユーザの通信範囲内にあるこれらのユーザからの応答を待つ。応答は、クエリした友達の通信デバイス（例えばウェアラブル電子デバイス）からの自動応答の形式であってよい。
【００３７】
ウェアラブル電子デバイスは、次に検索の結果を表示することができる５０４。これは、ユーザが、ウェアラブル電子デバイス１００のディスプレイ上の結果を見るために、ウェアラブル電子デバイスを特定の向きで保持することによって達成され得る。例えばユーザは、ディスプレイを見るために、自身の手首を自身の正面で概ね垂直に保持することがある。
【００３８】
図６Ａ、図６Ｂ及び図７は、ウェアラブル電子デバイス１００によって実装され得るイメージング機能を図示している。ウェアラブル電子デバイス１００は、複数の画像センサ６０１〜６０４を含むことができ、これらの画像センサは、ウェアラブル電子デバイス１００のエッジ又は表面の周囲に環状に配置され得る。
【００３９】
画像センサ６０１〜６０４は、ウェアラブル電子デバイス１００上に「画像フープ」７０１〜７０３として表示され得る画像をキャプチャすることができる。これらの「画像フープ」７０１〜７０３（例えば環状画像）は、上述のよう無線リンクを通して他のウェアラブル電子デバイスのユーザ１００と共有され得る。「画像フープ」は、画像センサ６０１〜６０４によってキャプチャされる画像の組合せの（例えば一緒にステッチした）結果である、ほぼ３６０°の画像を備えることができる。「画像フープ」７０１〜７０３を生成するために、ウェアラブル電子デバイス１００は、図８に図示されるようにGPSセンサ及び方向センサ（例えばコンパス）からのデータを使用することができ、これにより結果として「画像フープ」７０１〜７０３を生成することができる。
【００４０】
「画像フープ」７０１〜７０３は、図７に示されるように、画像ビューア（例えばブラウザ）内で一緒にリンクされ得る。図８に図示されるような画像レンダリングモジュール８０６（例えばソフトウェア及び／又はハードウェア）が、「画像フープ」７０１〜７０３の各々の中の画像を分析し、各「画像フープ」７０１〜７０３内で同じ人又は物７１１、７１２（例えば実質的に類似の被写体又は画像）を有するこれらの「画像フープ」７０１〜７０３をリンクすることができる。あるいは、デバイスの相互の周囲内にある画像フープをキャプチャするデバイスの２人の装着者は、システムが、片方の装着者の識別情報及び／又は位置を認識し、画像の１つ以上の合致する部分を認識した結果として、画像フープをリンクさせることもできる。
【００４１】
イメージング機能は、ウェアラブル電子デバイス１００を装着しているユーザによって形成される結果の円弧の大きさに応じて、結果の画像を調整することもできる。例えば図６Ａに図示される画像の視野６１１〜６１４の向きは、より大きな手首サイズを有する別のユーザによる同じ画像の視野６１１〜６１４よりも、ユーザが小さい手首サイズを有していることに起因する。図６Ａの視野６１１〜６１４は、図６Ｂの視野よりもより離れていることが分かる。
【００４２】
イメージング機能は、ユーザの手首のサイズが異なるときもほぼ同じ画像結果を維持するようにするために、撮像領域（imaging  field）６１１〜６１４の重なりを減少又は増大させることができる。例えばイメージング機能は、視野６１１〜６１４が重なりすぎている場合は、画像のピクセルの行（rows  of  pixels）を除外することができる。
【００４３】
イメージング機能は、図６Ａに図示されるように視野６１１〜６１４が十分に重なっていない場合、ピクセルの行を画像に追加してもよい。これは、隣接する画像センサ６０１〜６０４によって生成された隣接画像のエッジを平均化することによって達成され得る。「画像フープ」が作成されるときに、実質的に類似する画像ピクセルを隣接画像の間に追加することができる。個々の画像の大きさを増大及び減少させることは、各センサの視野の大きさを効果的に変化させる。
【００４４】
図８は、イメージング機能を実行し、「画像フープ」及び／又はリンクされた「画像フープ」を生成し得るシステムの実施形態のブロック図を図示している。このシステムは、ソフトウェア、ハードウェア又はソフトウェアとハードウェアの組合せで実装され得る。イメージング機能は他の様々な方法で実装され得るので、図８のブロック図は例示に過ぎない。
【００４５】
システムは、「画像フープ」へ組み合わせるための複数の個々の画像をキャプチャする画像センサ８００を含み得る。画像センサ８００は、ウェアラブル電子デバイス１００の周囲に環状に配置され得る。
【００４６】
画像処理モジュール８０１は、画像センサ８００から受け取った画像を編集するための能力を提供することができる。画像処理モジュール８０１は、前述のようにピクセルの行を追加又は減ずることにより、各画像センサの視野の大きさを調整することができる。画像処理モジュール８０１は、「画像フープ」全体を通してより一貫性のある、「画像フープ」全体の露出（exposure）を行うようにするため、各画像の露出を調整する能力も含むことができる。
【００４７】
「画像フープ」リンクモジュール８０２は、画像処理モジュール８０１からの画像の実際の組合せ（例えばエッジを一緒にステッチすること）を提供することができる。このモジュールは、「フープ」を形成するために、隣接画像のエッジをリンクアップすることができる。「画像フープ」リンクモジュール８０２は、複数の「画像フープ」内のいずれかの画像が同じ物／人の画像であるかどうかを判断する画像分析も提供することができる。後述されるように、この情報は、最終的な画像を生成する際に使用するためにレンダリングモジュール８０６に渡され得る。
【００４８】
センサアレイ８０３は、ウェアラブル電子デバイスの向き／位置を決定するために使用され得る、位置センサ、加速度計、ジャイロスコープ、方向センサ及び／又は任意の他のセンサを含み得る。例えばGPS受信機を使用して、ウェアラブル電子デバイス１００の実際の位置を決定することができ、一方、加速度計、ジャイロスコープ及び方向センサを使用して、様々な画像センサが現在どの方向に向いているか、及びセンサがどの方向に動いているかを決定することができる。
【００４９】
ナビゲーションシステム８０４は、センサアレイ８０３（例えばGPS）からの入力を介して、電子デバイス１００を装着しているユーザの位置を、地理的マップとの関連で決めることができるマッピング能力（地図作製能力（mapping  capabilities））を提供することができる。ナビゲーションシステム８０４は、地理的マップ上の位置までの距離を提供することもできる。
【００５０】
周辺マップ（surround-map）提示モジュール８０５は、ナビゲーションシステム８０４からの出力を取り、電子デバイス１００を装着しているユーザが複数の画像に対して中心となるように、その出力を編成することができ、これにより、全ての距離及び位置がユーザに対して相対的に決定される。したがって、「画像フープ」上のそれぞれの位置において興味のある位置までの全ての距離は、電子デバイス１００を装着しているユーザとの関連で決定される。
【００５１】
レンダリングモジュール８０６は、周辺マップ提示モジュール８０５及び「画像フープ」リンクモジュール８０２の出力をとり、ウェアラブル電子デバイスディスプレイ８０７における表示のために「画像フープ」を生成する。複数のリンクされる「画像フープ」は、ビューア（例えばブラウザ）内でリンクされて表示され得る。
【００５２】
図９は、ウェアラブル電子デバイス１００によって実行され得るイメージング機能の方法の実施形態のフローチャートである。ウェアラブル電子デバイス１００は、いずれか１つのイメージング機能及びそのイメージング機能を実行する一方法には限定されないので、この方法は例示の目的に過ぎない。
【００５３】
ウェアラブル電子デバイスの画像センサからの画像が記録され、各画像の位置が地理的マップとの関連で決定される９００。画像が処理される９０１。この処理は、画像へピクセルを追加すること又は画像からピクセルを減ずることによって、各画像センサの視野の大きさを調整することを含み得る。画像は次いで、ユーザとの関連で編成され、隣接画像のエッジを一緒にくっつけることによりリンクされ得る９０３。結果として得られる画像は、次いで、上述のように「画像フープ」へレンダリングされ９０９、ウェアラブル電子デバイス１００のディスプレイ上に表示され得る９１１。
【００５４】
図１０は、マシンをコンピュータシステム１０００の例示の形式で例示するブロック図であり、このシステム内では、１組の又は一連の命令が実行されて、例示の実施形態に係る本明細書で説明される方法のいずれか１つをマシンに実行させ得る。代替的な実施形態において、マシンは、スタンドアロンのデバイスとして動作するか、他のマシンと接続（例えばネットワーク化）され得る。ネットワーク化される展開では、マシンは、サーバクライアントネットワーク環境内でサーバ又はクライアントマシンのいずれかの能力で動作してもよく、あるいはピアツーピア環境内でピアマシンとして動作してもよい。マシンは、ウェアラブル電子デバイス１００、車両搭載システム、パーソナルコンピュータ（PC）、タブレットPC、ハイブリッドタブレット、パーソナルデジタルアシスタント（PDA）、携帯電話、又はマシンがとるべきアクションを指定する命令を（順次又は他の方法で）実行することができる任意のマシンとすることができる。さらに、単一のマシンのみが図示されているが、「マシン」という用語は、個々に又は一緒に一組の（又は複数の組の）命令を実行して本明細書で説明される方法のいずれか１つ以上を実行する、マシンの任意の集合も含むように解釈されるものとする。同様に、「プロセッサベースのシステム」は、あるプロセッサ（例えばコンピュータ）によって制御又は動作されて、個々に又は一緒に命令を実行して本明細書で説明される方法のいずれか１つ以上を実行する、１つ以上のマシンの任意の組を含むように解釈されるものとする。
【００５５】
例示のコンピュータシステム１０００は、少なくとも１つのプロセッサ１００２（例えば中央処理ユニット（CPU）、グラフィクス処理ユニット（GPU）又はその双方、プロセッサコア、演算ノード等）、主メモリ１００４及び静的メモリ１００６を含み、これは、リンク１００８（例えばバス）を介して相互に通信する。コンピュータシステム１０００は更に、ビデオディスプレイユニット１０１０、英数字入力デバイス１０１２（例えばキーボード）及びユーザインタフェース（UI）ナビゲーションデバイス１０１４（例えばマウス）を含んでもよい。一実施形態において、ビデオディスプレイユニット１０１０、入力デバイス１０１２及びUIナビゲーションデバイス１０１４はタッチスクリーンディスプレイに組み込まれる。コンピュータシステム１０００は更に、ストレージデバイス１０１６（例えばドライブユニット）、信号生成デバイス１０１８（例えばスピーカ）、ネットワークインタフェースデバイス１０２０及び全地球測位システム（GPS）センサ、コンパス、加速度計又は他のセンサといった１つ以上のセンサ（図示せず）を含んでもよい。
【００５６】
ストレージデバイス１０１６はマシン読取可能媒体１０２２を含み、このマシン読取可能媒体１０２２上に、本明細書で説明される方法又は機能のいずれか１つ以上を具現化するか、その方法又は機能によって使用される、１つ又は複数の組のデータ構造及び命令１０２４（例えばソフトウェア）が格納される。また、命令１０２４は完全に又は少なくとも部分的に、主メモリ１００４、静的メモリ１００６及び／又はコンピュータシステム１０００によるプロセッサの実行中にプロセッサ１００２内に存在し、これにより主メモリ１００４、静的メモリ１００６及びプロセッサ１００２はマシン読取可能媒体を構成する。
【００５７】
マシン読取可能媒体１０２２は、例示の実施形態では単一の媒体であるように図示されるが、「マシン読取可能媒体」という用語は、１つ以上の命令１０２４を格納する単一の媒体又は複数の媒体（例えば集中若しくは分散データベース及び／又は関連するキャッシュとサーバ）を含み得る。また、「マシン読取可能媒体」という用語は、マシンにより実行され、本開示の方法のいずれか１つ以上を実行させる命令を格納、符号化又は担持する能力を有するか、そのような命令によって使用されるかそのような命令に関連付けられるデータ構造を格納、符号化又は担持する能力を有する、任意の有形の媒体を含むように解釈されるものとする。したがって、「マシン読取可能媒体」という用語は、これらには限られないが、半導体メモリ、並びに光及び磁気媒体を含むように解釈されるものとする。マシン読取可能媒体の具体的な例には、限定ではなく例として、半導体メモリデバイス（例えば電子的プログラム可能読取専用メモリ（EPROM）、電子的消去可能プログラム可能読取専用メモリ（EEPROM））及びブラッシュメモリデバイス；内蔵ハードディスク及び取外し可能ディスクのような磁気ディスク；磁気光ディスク；並びにCD-ROM及びDVD-ROMディスク等の不揮発性メモリを含む。
【００５８】
命令１０２４は更に、伝送媒体を使用して、幾つかの周知の伝送プロトコルのいずれか１つ（例えばHTTP）を使用してネットワークインタフェースデバイス１０２０を介して、通信ネットワーク１０２６上で送受信され得る。通信ネットワークの例には、ローカルエリアネットワーク（LAN）、ワイドエリアネットワーク（WAN）、インターネット、携帯電話ネットワーク、従来型普通電話サービス（PORS：plain  old  telephone）ネットワーク及び無線データネットワーク（例えばWi-Fi（登録商標）、3G及び4G  LTE/LTE-A又はWiMAXネットワーク）が含まれる。「伝送媒体」という用語は、マシンによる実行のための命令を格納、符号化又は担持する能力を有する任意の無形の媒体を含むように解釈されるものとし、デジタル若しくはアナログの通信信号又は上記ソフトウェアの通信を容易にする他の無形の媒体を含む。
【００５９】
例：
以下の例示は更なる実施形態に関する。
【００６０】
例１は、ウェアラブル電子デバイスであって：環状のディスプレイと；複数の画像センサ、位置センサ及び方向センサを含む複数のセンサであって、複数の画像センサが、タッチスクリーンディスプレイの周囲に環状に配置される、複数のセンサと；環状のディスプレイ及び複数のセンサに結合されるコントローラとを備え、コントローラが、マッピング機能及びイメージング機能を実行して、環状のディスプレイ上に検索結果及び複数の画像の環状の画像を生成し、検索結果及び複数の画像は、ウェアラブル電子デバイスのユーザの方向に対して相対的に表示される。
【００６１】
例２において、例１に係る主題は、任意選択により、コントローラが、検索要求を受け取り、該検索要求に応答して、各検索結果が、ユーザに関連する地理的位置を有する検索結果を生成し、ユーザの地理的位置及び各検索結果の地理的位置に基づいて、検索結果を環状のディスプレイ上に環状に表示することを含み得る。
【００６２】
例３において、例１−２に係る主題は、任意選択により、コントローラが、複数の画像を生成し、ユーザに関連して各画像の相対的な地理的位置を決定し、複数の画像を環状の画像として環状のディスプレイ上に表示し、各画像が、ユーザとの相対的な位置に従って表示されることを含み得る。
【００６３】
例４において、例１−３に係る主題は、任意選択により、コントローラが、複数の画像の各画像の視野を、環状のタッチスクリーンディスプレイによって形成される円弧の大きさに応じて調整することを含み得る。
【００６４】
例５において、例１−４に係る主題は、任意選択により、コントローラが、環状の画像が実質的に一貫性のある露出（consistent  exposure）となるように、複数の画像の露出を調整することを含み得る。
【００６５】
例６において、例１−５に係る主題は、任意選択により、位置センサ及び方向センサに結合され、マッピング能力を生じるように構成される、ナビゲーションサブシステムと；ナビゲーションサブシステムに結合され、ユーザが複数の画像に対して中央に配置されるように、複数の画像を編成するよう構成される、周辺マップ提示モジュールと；画像センサ及び周辺マップ提示モジュールに結合され、複数の画像から環状の画像を生成するように構成される、レンダリングモジュールとを含み得る。
【００６６】
例７において、例１−６に係る主題は、任意選択により、位置センサが全地球測位衛星受信機であることを含み得る。
【００６７】
例８において、例１−７に係る主題は、任意選択により、位置センサが複数の基地局の間の三角測量のための無線受信機であることを含み得る。
【００６８】
例９において、例１−８に係る主題は、任意選択により、コントローラが、視野を調整するために、複数の画像にピクセルを追加するか、複数の画像からピクセルを減ずることを含み得る。
【００６９】
例１０は、ウェアラブル電子デバイスにおいてマップ表示を生成するための方法であって、当該方法は：検索要求を受け取るステップと；検索要求に応答して地理検索を実行し、検索結果を生成するステップと；各検索結果が、ユーザ及び検索結果の地理的位置に対して相対的に、ウェアラブル電子デバイスの周囲に環状に表示されるように、検索結果をウェアラブル電子デバイスのディスプレイ上に表示するステップと；を備える。
【００７０】
例１１において、例１０に係る主題は、任意選択により、検索要求が記憶済みの検索要求であり、方法が、ユーザの地理的位置及び記憶済みの検索要求に応答して、地理検索を開始するステップを更に備えることを含み得る。
【００７１】
例１２において、例１０−１１に係る主題は、任意選択により、ユーザの動きに応じて、ディスプレイ上の各検索結果の位置を更新するステップを含み得る。
【００７２】
例１３において、例１０−１２に係る主題は、任意選択により、検索結果をディスプレイ上に表示するステップが、検索結果を表すアイコンを表示することを備えることを含み得る。
【００７３】
例１４において、例１０−１３に係る主題は、任意選択により、検索結果をディスプレイ上に表示するステップが、検索結果ごとにテキストのブロックを表示することを備え、各テキストのブロックが、ユーザからの相対的な距離を含むことを含み得る。
【００７４】
例１５において、例１０−１４に係る主題は、任意選択により、テキストのブロックを表示することが、テキストのブロックを表示することを含み、テキストのブロックのフォントは、テキストのブロックによって表される、ユーザからの検索結果の相対的に距離に応じて変化することを含み得る。
【００７５】
例１６において、例１０−１５に係る主題は、任意選択により、検索結果をディスプレイ上に表示するステップが、各検索結果を表すアイコンを表示することを備えることを含み得る。
【００７６】
例１７において、例１０−１６に係る主題は、任意選択により、地理検索を実行することが、無線チャネルを介して地理的データベースにアクセスすることを備えることを含み得る。
【００７７】
例１８は、ウェアラブル電子デバイスのマップ表示上に地理的に関連する検索結果を生成するために、マシンによって実行されると、該マシンに例１０−１７の方法のうちのいずれか１つを実行させる命令を備える、マシン読取可能媒体である。
【００７８】
例１９は、ウェアラブル電子デバイスにおいて画像を生成するための方法であって、当該方法は：ウェアラブル電子デバイスの周囲に環状に配置される複数の画像センサから複数の画像を生成するステップと；複数の画像の各々について、ウェアラブル電子デバイスのユーザとの関連で地理的位置を決定するステップと；各画像の地理的位置及びウェアラブル電子デバイスのユーザとの関連で複数の画像をリンクさせて環状の画像を生成するステップと；環状の画像内における各画像の地理的位置及びウェアラブル電子デバイスのユーザとの関連で、環状の画像をウェアラブル電子デバイスのディスプレイ上に表示するステップと「；を備える。
【００７９】
例２０において、例１９に係る主題は、任意選択により、ウェアラブル電子デバイスを装着しているユーザによって形成される円弧の大きさに応じて、複数の画像センサの各々の視野を調整するステップを含み得る。
【００８０】
例２１において、例１９−２０に係る主題は、任意選択により、複数の画像センサの各々の視野を調整することが、視野の大きさを増加又は減少させるよう、それぞれ、複数の画像にピクセルを追加又は複数の画像からピクセルを減ずることを備えることを含み得る。
【００８１】
例２２において、例１９−２１に係る主題は、任意選択により、ウェアラブル電子デバイスのユーザとの関連で複数の画像をリンクさせるステップが、隣接画像のエッジを環状に組み合わせることを備えることを含み得る。
【００８２】
例２３において、例１９−２２に係る主題は、任意選択により、複数の画像を分析して、実質的に類似する対象を有する画像を決定するステップを含み得る。
【００８３】
例２４において、例１９−２３に係る主題は、任意選択により、実質的に類似する対象によって一緒にリンクされる、複数の環状画像の画像を生成するステップと含み得る。
【００８４】
例２５は、ウェアラブル電子デバイス上に画像を生成する装置であり、例１９−２４の方法のうちのいずれか１つを実行する手段を備える。
【００８５】
例２６は、ウェアラブル電子デバイスにおいて表示を生成するための方法であって、当該方法は：複数の画像のうちの各画像について、又は複数の検索結果のうちの各検索結果についての地理的位置を、ウェアラブル電子デバイスのユーザとの関連で決定するステップと；複数の画像又は複数の検索結果についての環状の表示を表示するステップとを備え、複数の検索結果又は複数の画像は、ウェアラブル電子デバイスのユーザに対して相対的に、複数の検索結果又は複数の画像によって表される地理的位置に応じて表示される。
【００８６】
例２７において、例２６に係る主題は、任意選択により、地理的マップのデータベースに応じて、地理的位置を決定するステップを含み得る。
【００８７】
例２８において、例２６−２７に係る主題は、任意選択により、無線チャネルを介して地理的マップのデータベースにアクセスするステップを含み得る。
【００８８】
例２９は、複数の地理的に関連する検索結果を表示するための装置であり、当該装置は：検索要求を受け取る手段と；検索要求に応答して地理検索を実行し、検索結果を生成する手段と；各検索結果が、ユーザ及び検索結果の地理的位置に対して相対的に当該装置の周囲に環状に表示されるように、検索結果をウェアラブル電子デバイスのディスプレイ上に表示する手段と；を備える。
【００８９】
例３０において、例２９に係る主題は、任意選択により、装置の地理的位置を決定するための手段を含み得る。
【００９０】
例３１は、複数の地理的に関連する画像を表示するための装置であって、当該装置は：ウェアラブル電子デバイスの周囲に環状に配置される複数の画像センサから複数の画像を生成する手段と；複数の画像の各々について、ウェアラブル電子デバイスのユーザとの関連で地理的位置を決定する手段と；各画像の地理的位置及びウェアラブル電子デバイスのユーザとの関連で複数の画像をリンクさせて環状の画像を生成する手段と；環状の画像内における各画像の地理的位置及びウェアラブル電子デバイスのユーザとの関連で、ウェアラブル電子デバイスのディスプレイ上に環状の画像を表示する手段と；を備える。
【００９１】
例３２において、例３０に係る主題は、任意選択により、複数の画像をリンクさせる手段が、隣接する画像のエッジが結合されるように、複数の画像のピクセルを追加又は除去するための手段を備えることを含み得る。
【００９２】
例３３は、ウェアラブル電子デバイスのマップ表示上に地理的に関連する検索結果を生成するための命令を備えるマシン読取可能媒体であって、命令は、マシンによって実行されると、マシンに：複数の画像のうちの各画像について、又は複数の検索結果のうちの各検索結果についての地理的位置を、ウェアラブル電子デバイスのユーザとの関連で決定させ；複数の画像又は複数の検索結果についての環状の表示を表示させ、複数の検索結果又は複数の画像は、ウェアラブル電子デバイスのユーザに対して相対的に、複数の検索結果又は複数の画像によって表される地理的位置に応じて表示される。
【００９３】
例３４において、例３３に係る主題は、任意選択により、マシンに更に、複数の画像が環状にリンクされるように、隣接する画像にピクセルを追加すること又は隣接する画像からピクセルを減ずることを実行させることを含み得る。
【００９４】
例３５において、例３３−３４に係る主題は、任意選択により、マシンに更に、ユーザの動きに応じてディスプレイ上の各検索結果の位置を更新させることを含み得る。
【００９５】
例３６において、例３３−３５に係る主題は、任意選択により、マシンに更に、検索結果を表すアイコンを表示させることを含み得る。
【００９６】
例３７において、例３３−３６に係る主題は、任意選択により、マシンに更に、各検索結果についてテキストのブロックを表示させ、テキストの各ブロックが、ユーザからの相対的な距離を含むことを含み得る。
【００９７】
例３８において、例３３−３７に係る主題は、任意選択により、マシンに更に、テキストのブロックを表示させ、テキストのブロックのフォントが、テキストのブロックによって表される、ユーザからの検索結果の相対的な距離に応じて変化することを含み得る。
【００９８】
例３９において、例３３−３８に係る主題は、任意選択により、マシンに更に、各検索結果を表すアイコンを表示させることを含み得る。
【００９９】
例４０において、例３３−３９に係る主題は、任意選択により、マシンに更に、無線チャネルを介して地理的データベースにアクセスさせることを含み得る得。
【０１００】
例４１は、ウェアラブル電子デバイスのマップ表示上に地理的に関連する検索結果を生成するための命令を備えるマシン読取可能媒体であって、命令は、マシンによって実行されると、マシンに：複数の環状の画像を受け取ることと；複数の環状の画像を分析して、類似する対象を有する画像を決定することと：類似する対象によってリンクされる、複数の環状の画像のうちの少なくとも２つの画像を表示することと；を実行させる。
【０１０１】
例４２において、例４１に係る主題は、任意選択により、マシンに更に、複数のウェアラブル電子デバイスから複数の環状の画像を受け取らせることを含み得る。
【０１０２】
例４３は、ウェアラブル電子デバイスであり：複数の画像のうちの各画像について、又は複数の検索結果のうちの各検索結果についての地理的位置を、ウェアラブル電子デバイスのユーザとの関連で決定する手段と；複数の画像又は複数の検索結果についての環状の表示を表示する手段とを備え、複数の検索結果又は複数の画像は、ウェアラブル電子デバイスのユーザに対して相対的に、複数の検索結果又は複数の画像によって表される地理的位置に応じて表示される。
【０１０３】
例４４において、例４３に係る主題は、任意選択により、地理的マップのデータベースに応じて、地理的位置を決定する手段を含み得る。
【０１０４】
例４５において、例４３−４４に係る主題は、任意選択により、無線チャネルを介して地理的マップのデータベースにアクセスする手段を含み得る。
【図１】
2017503240.tif 000003
【図２】
2017503240.tif 000004
【図３】
2017503240.tif 000005
【図４】
2017503240.tif 000006
【図５】
2017503240.tif 000007
【図６Ａ】
2017503240.tif 000008
【図６Ｂ】
2017503240.tif 000009
【図７】
2017503240.tif 000010
【図８】
2017503240.tif 000011
【図９】
2017503240.tif 000012
【図１０】
2017503240.tif 000013
【国際調査報告】
2017503240.tif 000014
2017503240.tif 000015
2017503240.tif 000016